(57)【特許請求の範囲】
【請求項１】
遊技盤の前面部に設けられた遊技領域に配設されて、遊技球が入賞しやすい状態と入賞しにくい状態とに可変可能な可動部材によって通常時は遊技球が入賞しにくい状態に設定される可変入賞装置と、
前記遊技領域に配設されて、遊技球が入球可能な入球口と、前記入球口に入球した遊技球を滞留させて排出される時間をランダムに遅延させる遅延部と、前記遅延部に入った遊技球を外部に排出する排出部と、を有する役物と、
前記入球口に遊技球が入球した場合には、前記可変入賞装置の可動部材を遊技球が入賞しやすい状態に設定し、この入球した遊技球が前記排出部から排出された場合には、該可変入賞装置の可動部材を遊技球が入賞しにくい状態に再度設定する可動部材設定手段と、
を備えたことを特徴とする遊技機。
【請求項２】
前記遅延部は、中央部が低くなるように傾斜して該中央部に前記排出部に連通する少なくとも１つの貫通孔が形成される凹み部材と、
前記入球口に入球した遊技球を前記凹み部材の上端部に案内落下させる案内部と、
を有することを特徴とする請求項１に記載の遊技機。
【請求項３】
前記遅延部は、上下方向に多段に配置される複数個の前記凹み部材と、
この各凹み部材の前記貫通孔の近傍に形成されて該凹み部の中央部から下側の凹み部材の上端部に遊技球を案内する誘導部と、
を有することを特徴とする請求項２に記載の遊技機。
【発明の詳細な説明】
【技術分野】
【０００１】
本発明は、遊技球が入賞しやすい状態と入賞しにくい状態とに可変可能な可動部材によって通常時は遊技球が入賞しにくい状態に設定される可変入賞装置が遊技領域に配設された遊技機に関するものである。
【背景技術】
【０００２】
従来より、通常時は遊技球が入賞しにくい状態に設定される可動部材を有する可変入賞装置が設けられた遊技機に関して種々提案されている。
例えば、パチンコ球を受入れる球入口と、前記球入口を開閉する可動部材とを備えた変動入賞装置であって、前記可動部材は前記球入口を閉塞する状態で内部をパチンコ球が流下し得るように中空貫通状に形成した変動入賞装置を備えた遊技機が提案されている（例えば、特許文献１参照。）。
【特許文献１】特開２００３−２３０６８４号公報（段落（００１９）〜（００２６）、図１〜図５）
【発明の開示】
【発明が解決しようとする課題】
【０００３】
しかしながら、上述の遊技機の構成では、特定遊技状態（いわゆる大当たり遊技状態）では、変動入賞装置の可動部材が、球入口に所定個数（例えば、１０個である。）入賞するまでの間、または一定時間（例えば、約２５秒〜３０秒である。）経過するまでの間開成され、特別入賞検出器で入賞球を検出したことを条件に、所定回数（例えば、１６回である。）連続して球入口が開成される。このため、変動入賞装置の可動部材が開いている間に入賞する個数は、ほとんど定められているような状態となり、この可動部材が開いている間に幾つ入賞するかという遊技者の楽しみを奪ってしまい、遊技の興趣を損なうという問題がある。
また、一般に、いわゆる普通機では、ソレノイドのＯＮ・ＯＦＦ駆動により開閉されるチューリップ式電動役物等の電動役物や、機械的に開閉されるチューリップ式非電動役物等の非電動役物は、遊技球がそれらに入賞すると開成し、その状態のときに再度遊技球が入賞すると閉じるように構成されている。このため、これらの電動役物や非電動役物に入賞する遊技球は、１個若しくは２個と少ないものであり、開成している間に幾つ入賞するかという遊技者の楽しみを奪ってしまい、遊技の興趣を損なうという問題がある。
【０００４】
そこで、本発明は、上述した問題点を解決するためになされたものであり、可変入賞装置の可動部材が開いている間に入賞する個数がランダムに変動し、この可動部材が開いている間に幾つ入賞するかという楽しみを遊技者に付与することが可能な遊技機を提供することを目的とする。
【課題を解決するための手段】
【０００５】
前記目的を達成するため請求項１に係る遊技機は、遊技盤の前面部に設けられた遊技領域に配設されて、遊技球が入賞しやすい状態と入賞しにくい状態とに可変可能な可動部材によって通常時は遊技球が入賞しにくい状態に設定される可変入賞装置と、前記遊技領域に配設されて、遊技球が入球可能な入球口と、前記入球口に入球した遊技球を滞留させて排出される時間をランダムに遅延させる遅延部と、前記遅延部に入った遊技球を外部に排出する排出部と、を有する役物と、前記入球口に遊技球が入球した場合には、前記可変入賞装置の可動部材を遊技球が入賞しやすい状態に設定し、この入球した遊技球が前記排出部から排出された場合には、該可変入賞装置の可動部材を遊技球が入賞しにくい状態に再度設定する可動部材設定手段と、
を備えたことを特徴とする。
【０００６】
また、請求項２に係る遊技機は、請求項１に記載の遊技機において、前記遅延部は、中央部が低くなるように傾斜して該中央部に前記排出部に連通する少なくとも１つの貫通孔が形成される凹み部材と、前記入球口に入球した遊技球を前記凹み部材の上端部に案内落下させる案内部と、を有することを特徴とする。
【０００７】
更に、請求項３に係る遊技機は、請求項２に記載の遊技機において、前記遅延部は、上下方向に多段に配置される複数個の前記凹み部材と、この各凹み部材の前記貫通孔の近傍に形成されて該凹み部の中央部から下側の凹み部材の上端部に遊技球を案内する誘導部と、を有することを特徴とする。
【発明の効果】
【０００８】
請求項１に係る遊技機では、役物の入球口に入球した場合には、可変入賞装置の可動部材は遊技球が入賞しやすい状態に設定され、この可変入賞装置に遊技球が容易に入賞する。そして、この役物の入球口に入球した遊技球が遅延部によって排出される時間がランダムに遅延された後に、排出部から排出された場合には、可変入賞装置の可動部材は、遊技球が入賞しにくい状態に再度設定される。
これにより、役物の入球口に入球した遊技球が、遅延部材によって排出される時間がランダムに遅延されて、排出されるまでの間は、可変入賞装置の可動部材が遊技球が入賞しやすい状態になるため、この間に可変入賞装置に入賞する遊技球の個数はランダムに変動し、この可動部材が入賞しやすい状態の間に幾つ入賞するかという楽しみを遊技者に付与することが可能となる。
【０００９】
また、請求項２に係る遊技機では、入球口に入球した遊技球は、案内部から中央部が低くなるように傾斜した凹み部材の上端部に案内落下され、この案内部から転動落下してきた遊技球は、その勢いに従って凹み部材内の傾斜面上を転動周回するため、この凹み部材内に滞留する時間がランダム決定される。そして、凹み部材内を転動周回後、周回速度が低下して中央部に達した場合には、この中央部に形成される貫通孔から排出部に排出される。
これにより、役物の入球口に入球した遊技球は、凹み部材内に転動落下したときの勢いに従ってこの凹み部材内の傾斜面上を転動周回し、滞留する時間がランダム決定されるため、排出される時間を確実にランダムに遅延させることができる。従って、役物の入球口に入球した遊技球が排出されるまでの間は、可変入賞装置の可動部材が遊技球が入賞しやすい状態になるため、この間に可変入賞装置に入賞する遊技球の個数を確実にランダムに変動させ、この可動部材が入賞しやすい状態の間に幾つ入賞するかという楽しみを遊技者に確実に付与することができる。
【００１０】
更に、請求項３に係る遊技機では、中央部が低くなるように傾斜すると共に排出部に連通する貫通孔が形成された凹み部材が上下方向に多段に配置されている。また、各凹み部材の貫通孔の近傍に形成されて該凹み部の中央部から下側の凹み部材の上端部に遊技球を案内する誘導部が設けられている。そして、入球口に入球して案内部から落下した遊技球は、その勢いに従って凹み部材内を転動周回後、貫通孔と誘導部とをランダムに選択して転動落下する。
これにより、役物の入球口に入球した遊技球は、複数の凹み部材をランダムに選択して、排出部に排出されるため、排出されるまでの時間をよりランダムに遅延させることができる。従って、役物の入球口に入球した遊技球がより多くの凹み部材を選択した場合には、排出されるまでの時間が更に遅延されるため、可動部材が入賞しやすい状態の間に幾つ入賞するかという楽しみと共に、より多くの凹み部材が選択されるかという楽しみを遊技者に付与することができる。
【発明を実施するための最良の形態】
【００１１】
以下、本発明に係る遊技機をパチンコ機について具体化した実施例１及び実施例２について図面を参照して詳細に説明する。
【実施例１】
【００１２】
先ず、実施例１に係るパチンコ機の概略構成について図１及び図２に基づき説明する。
図１に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技盤４１（図２参照）上の遊技領域４２（図２参照）を見ることができるように構成されている。また、前面カバー部材４の窓部５の左上端縁部には、フルカラーの発光ダイオードが内蔵され、遊技中のエラーを表示するエラー表示電飾ランプ６が取付けられている。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーダイオードが窓部５の外周部に沿って内蔵され、遊技中に光演出が行われる。
【００１３】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、パチンコ機１の裏側最上段に配設された賞球タンク２１及び賞球払出装置２２（図７参照）を介して払い出される賞球を受ける上皿８が配設されている。また、この上皿８は、左端縁部の上下を軸支されて、前面カバー部材４を開放後、内側に設けられた不図示のレバーを下げることにより開放できるように取付けられている。また、この上皿８の中央前面部には、不図示のカード式球貸機を操作する球貸操作部８Ｂが設けられ、各操作ボタン８Ｃ、８Ｄが配置されている。そして、その上皿８の下には、下皿９が配設される。また、この下皿９の上端面左方には演出表示等に使用可能な各スイッチボタン９Ａ、９Ｂが配置されている。
【００１４】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイド（不図示）や発射勢装置として機能する発射制御基板（不図示）等から構成され、該発射制御基板は、操作ハンドル１０の内部に取り付けられる可変抵抗器（不図示）を介して発射ソレノイドへの供給電力が調節され、パチンコ球の発射勢を強めたり、弱めたりすることが可能なように構成されている。これにより、遊技者が操作ハンドル１０における回動操作部材１０Ａの回動量を調節することによって、該操作ハンドル１０内に取り付けられた可変抵抗器の抵抗値が増減され、発射ソレノイドによるパチンコ球の発射勢の加減を適宜行うことができるように構成されている。
【００１５】
また、外枠２の内枠３より下側部分の前面部を左右方向及び上下方向の各全幅に渡って覆うようにスピーカ筐体１１が設けられている。また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部（不図示）が設けられている。
【００１６】
次に、遊技盤４１上の遊技領域４２の構成について図２に基づいて説明する。
図２に示すように、この遊技領域４２は、所定厚さの板材をなした遊技盤４１上に電動役物などの各構造物が配設され、それを囲むように環状のレール４３が立設されて構成されている。このレール４３は、発射されたパチンコ球を遊技領域４２内に案内する重複して形成した案内路４４を構成し、右肩部にはレール４３に沿って打ち込まれるパチンコ球の進行を制限するための段差部４５を有する。
【００１７】
遊技領域４２のほぼ中央には、開口部が開設され、この開口部の前面側には役物であるセンター役物４６が配設されている。このセンター役物４６は、後述するように、遊技領域４２を転動するパチンコ球をセンター役物４６内部に入球させる２つの入球口５０、５１が設けられている。
また、このセンター役物４６の下側には、後述の可変入賞装置４７が配設されている（図４参照）。この可変入賞装置４７は、遊技盤４２裏面の不図示の賞球樋に連通され、可変入賞装置４７への入賞を検出する入賞口スイッチ（不図示）が設けられている。そして、この可変入賞装置４７の可動部材としての各可動翼片４７Ａ、４７Ａが開放されている間に入賞した複数個の各入賞球に対して、１個当たり所定個数（例えば、５個〜１５個である。）の賞球が上皿８に払い出されるように構成されている（図４参照）。
【００１８】
一方、センター役物４６の左右には各風車５５〜５７が回転自在に設けられ、その外側には、電飾ランプが内蔵される各肩電飾部材５９、６０が配置されている。また、このセンター役物４６と各肩電飾部材５９、６０と間には各ゲート６２、６３が配置されている。
また、この各ゲート６２、６３の下側には、各チューリップ式電動役物６４、６５が配置されている。そして、各ゲート６２、６３にはパチンコ球の通過を検出するゲートスイッチ（不図示）が備えられており、ゲート６２のパチンコ球の通過を検出することで、チューリップ式電動役物６４が開放され、ゲート６３のパチンコ球の通過を検出することで、チューリップ式電動役物６５が開放される。また、各チューリップ式電動役物６４、６５は、遊技盤４２裏面の不図示の賞球樋に連通され、再びチューリップ式電動役物６４、６５に１個入賞すると閉じられるように構成されている。そして、各チューリップ式電動役物６４、６５には、各チューリップ式電動役物６４、６５への入賞を検出する入賞口スイッチ（不図示）が設けられて、所定個数（例えば、５個〜１０個である。）の賞球が上皿８に払い出されるように構成されている
【００１９】
また、可変入賞装置４７の下方には、左右方向に左チューリップ式役物６７、中チューリップ式役物６８、右チューリップ式役物６９が配置されている。これら左チューリップ式役物６７、中チューリップ式役物６８、右チューリップ式役物６９は、パチンコ球が入賞すると開放され、再度、パチンコ球が入賞すると閉じられる。また、各チューリップ式役物６７、６８、６９は、遊技盤４２裏面の不図示の賞球樋に連通され、各チューリップ式役物６７、６８、６９への入賞を検出する入賞口スイッチ（不図示）が設けられて、所定個数（例えば、５個〜１０個である。）の賞球が上皿８に払い出されるように構成されている
また、中チューリップ式役物６８の直下にはレール４３に沿ってアウト口７１が開設されている。更に、レール４３に囲まれたこのような遊技領域４２には、前記各構成物とともに複数の釘が打設されてパチンコ球の複雑な流路を構成している。
【００２０】
続いて、前記遊技盤４１に設けられたセンター役物４６について図３に基づいて説明する。
図３に示すように、センター役物４６は、各入球口５０、５１と、各入球口５０、５１に入った入球をステージ７３の後方（図３中、奥方向）に案内する案内通路７５と、ステージ７３の上面の中央部に形成されて略円形の外周を有し、下方に向かうにつれて次第に内径が小さくなるすり鉢状の凹み部７６と、この凹み部７６の底面部に穿設される貫通孔７６Ａに接続されて遊技盤４２の裏面に連通する排出通路７７とから基本的に構成される。
【００２１】
各入球口５０、５１は、センター役物４６の上部に左右一対に設けられ、遊技領域４２を転動するパチンコ球をセンター役物４６内部に入球させる円形状の開口部である。
また、案内通路７５は、一端が各入球口５０、５１に接続され、各入球口５０、５１から入った入球をセンター役物４６内部へと案内後、側面視略Ｌ字形状に形成された放出部７５Ａからこの入球をステージ７３上に落下させるものである（図４参照）。
また、ステージ７３の上面部は中央部に向かって緩やかに傾斜しており、ステージ７３上に落下した入球は、このステージ７３上を転動後、中央部のすり鉢状に形成された凹み部７６に案内される。そして、この凹み部７６に入った入球は、入ったときの転動速度に対応して凹み部７６上を周回後、徐々に速度が遅くなり、貫通孔７６Ａに落下する。その後、この貫通孔７６Ａに落下した入球は、排出通路７７を経て遊技盤４２の裏面に排出される。
【００２２】
次に、可変入賞装置４７の構成及び動作について図４に基づいて説明する。
図４に示すように、センター役物４６の直下に配設される公知の可変入賞装置４７（実開昭５６−７３８８５参照）は、軸８２によって上下方向に揺動可能に支持されたレバー８１の一端を案内通路７５に臨ませ、該レバー８１の他端に重錘８３を設けて一端側が跳ね上がるようにし、その一端に押下棒８４の上端が連結されている。また、この押下棒８４の下端は、球導板８５の後端部の上側に近接している。また、この球導板８５は、後端下面に磁石体８６が設けられ、押下棒８４によって後端部が下方に押し下げられた場合には、可変入賞装置４７の下端部に設けられた磁性部材８７に該磁石体８６が吸着され、球導板８５の前端部が持ち上げられて各可動翼片４７Ａ、４７Ａが自重で逆八の字形に開いた状態にセットされる。
【００２３】
一方、略中間を軸８８によって上下方向に揺動可能に支持された復帰レバー９０の一端を排出案内通路７７に臨ませ、該復帰レバー９０の他端を案内導板８５の後端部の下側に位置させる。そして、球導板８５の磁石体８６が磁性部材８７に吸着した場合には、この復帰レバー９０の他端が球導板８５の後端部下面に当接するように構成され、復帰レバー９０の他端が球導板８５が磁石体８６に吸着力に抗して持ち上げられた場合には、球導体８５の前端部が押し下げられて各可動翼片４７Ａ、４７Ａが起立した状態にセットされる。
【００２４】
これにより、各入球口５０、５１に入った入球が案内通路７５に案内されて放出部７５Ａに入ると、レバー８２の一端に載り、その球重量で該レバー８２を図４の鎖線のように下側方向に揺動して、押下棒８４の下端部が下側方向に押し下げられる。そして、球導板８５は、押下棒８４によって後端部が下方に押し下げられた場合には、可変入賞装置４７の下端部に設けられた磁性部材８７に該磁石体８６が吸着され、球導板８５の前端部が持ち上げられて各可動翼片４７Ａ、４７Ａが自重で逆八の字形に開いた状態にセットされる。そして、この放出部７５Ａからステージ７３上に落下した入賞球は、その落下速度に応じてステージ７３上を転動後、中央部に形成されたすり鉢状の凹み部７６を周回して底面部の貫通孔７６Ａに入る。このため、入球口５０、５１に入った入球がステージ７３及び凹み部７６上を転動している間は、各可動翼片４７Ａ、４７Ａが逆八の字形に開いた状態で維持され、可変入賞装置４７に複数個のパチンコ球が連続して入賞する状態が維持される。また、可変入賞装置４７に入賞した入賞球は、遊技盤４２裏面の不図示の賞球樋に連通する案内通路９２を通って入賞口スイッチによって該可変入賞装置４７への入賞が検出される。
【００２５】
また、凹み部７６の底面部に穿設される貫通孔７６Ａに入った入球は、排出通路７７を通って、復帰レバー９０の一端に載り、その球重量で該復帰レバー９０を図４の鎖線のように下側方向に揺動して、復帰レバー９０の他端が磁石体８６と磁性部材８７との吸着力に打ち勝ってそれらを離間させ、球導板８５を回動させて各可動翼片４７Ａ、４７Ａを起立位置にセットする。このため、可変入賞装置４７は、パチンコ球が入賞しにくい状態に再度セットされる。
【００２６】
ここで、各可動翼片４７Ａ、４７Ａは、可動部材を構成する。また、案内通路７５及び放出部７５Ａは、案内部を構成する。また、ステージ７３及び凹み部７６は、遅延部を構成する。また、凹み部７６は、凹み部材として機能する。また、貫通孔７６Ａ及び排出通路７７は、排出部を構成する。また、センター役物４６は、役物として機能する。また、レバー８２、押下棒８４、球導板８５、磁石体８６、磁性部材８７及び復帰レバー９０は、可動部材設定手段を構成する。
【００２７】
以上説明したとおり、実施例１に係るパチンコ機１によれば、センター役物４６の各入球口５０、５１に入った入球が案内通路７５に案内されて放出部７５Ａに入ると、レバー８２の一端に載り、その球重量で該レバー８２及び押下棒８４が下側方に押下されることにより、可変入賞装置４７の各可動翼片４７Ａ、４７Ａが、逆八の字形に開いた状態にセットされる。そして、この入球がステージ７３及び凹み部７６上を転動している間は、各可動翼片４７Ａ、４７Ａが逆八の字形に開いた状態で維持され、可変入賞装置４７に複数個のパチンコ球が連続して入賞する状態が維持される。その後、この入球が貫通孔７６Ａから排出通路７７を通って、復帰レバー９０の一端に載り、その球重量で該復帰レバー９０の他端が球導板８５を回動させ、各可動翼片４７Ａ、４７Ａが再度、起立位置にセットされる。
【００２８】
これにより、センター役物４６の各入球口５０、５１に入った入球が、ステージ７３及び凹み部７６によって排出される時間が遅延されて、排出されるまでの間は、可変入賞装置４７の各可動翼片４７Ａ、４７Ａが逆八の字型に開いて入賞しやすい状態になるため、この間に可変入賞装置４７に連続して入賞するパチンコ球の個数はランダムに変動し、この各可動翼片４７Ａ、４７Ａが逆八の字型に開いて入賞しやすい状態の間に幾つ入賞するかという楽しみを遊技者に付与することが可能となる。
【実施例２】
【００２９】
次に、実施例２に係るパチンコ機について図５乃至図８に基づいて説明する。尚、以下の説明において上記図１乃至図４の実施例１に係るパチンコ機１の構成と同一符号は、該実施例１に係るパチンコ機１等の構成と同一あるいは相当部分を示すものである。
この実施例２に係るパチンコ機の概略構成は、上記実施例１に係るパチンコ機１とほぼ同じ構成である。また、各種制御処理も実施例１に係るパチンコ機１とほぼ同じ制御処理である。
但し、実施例２に係るパチンコ機のセンター役物及び可変入賞装置の構造は、上記実施例１に係るパチンコ機１のセンター役物４６及び可変入賞装置４７の構成と異なっている。
【００３０】
実施例２に係るセンター役物の概略構成について図５に基づいて説明する。
図５に示すように、センター役物１０１は、上記センター役物４６とほぼ同じ構成であるが、各入球口５０、５１の内部には、パチンコ球の通過を検出する各入球口スイッチ１０２、１０３が設けられている。また、排出通路７７の下端部には、パチンコ球の通過を検出する排出スイッチ１０５が設けられている。
これにより、各入球口５０、５１に入った入球は、各入球口スイッチ１０２、１０３を通過後、案内通路７５を転動落下して放出部７５Ａからステージ７３上に落下する。そして、ステージ７３上に落下した入球は、このステージ７３上を転動後、中央部のすり鉢状に形成された凹み部７６に案内される。そして、この凹み部７６に入った入球は、入ったときの転動速度に対応して凹み部７６上を周回後、徐々に速度が遅くなり、貫通孔７６Ａに落下する。その後、この貫通孔７６Ａに落下した入球は、排出通路７７を通って排出スイッチ１０５を通過後、遊技盤４２の裏面に排出される。
【００３１】
続いて、実施例２に係る可変入賞装置の概略構成及び動作について図６に基づいて説明する。
図６に示すように、可変入賞装置１０７は、上記実施例１に係るパチンコ機１の可変入賞装置４７とほぼ同じ構成であるが、レバー８２、押下棒８４及び復帰レバー９０等に替えて、ソレノイド１０８と、このソレノイド１０８によって上下に移動される上下作動部材１１０が設けられている。
このソレノイド１０８は、通電をＯＦＦにして駆動していない時はコイルバネ１１２によって所定高さ飛び出るように支持される可動鉄心１１１が上下方向に移動可能に設けられている。そして、ソレノイド１０８に通電をＯＮにして駆動した場合には、可動鉄心１１１が吸引されてコイルバネ１１２に打ち勝って下側方向に所定ストローク長だけ移動する。
【００３２】
また、上下動作部材１１０は、一端が可動鉄心１１１に固着され、他端が側面視略コの字形に形成されて、球導板８５の後端部を挟むように形成されている。そして、ソレノイド１０８の通電をＯＮにして駆動した場合には、可動鉄心１１１と共に上下作動部材１１０が下側方向に移動され、球導板８５の後端部が下方に押し下げられる。一方、ソレノイド１０８の通電をＯＦＦにして駆動を停止した場合には、可動鉄心１１１と共に上下作動部材１１０がコイルバネ１１２を介して上側方向に移動される。
そして、ソレノイド１０８の通電をＯＮにして上下作動部材１１０が下側方向に移動された場合には、球導板８５は、後端部が下方に押し下げられ、可変入賞装置４７の下端部に設けられた磁性部材８７に該磁石体８６が吸着され、該球導板８５の前端部が持ち上げられて各可動翼片４７Ａ、４７Ａが自重で逆八の字形に開いた状態にセットされる。
【００３３】
また、可変入賞装置１０７に入賞した入賞球は、遊技盤４２裏面の不図示の賞球樋に連通する案内通路９２を通って入賞口スイッチ１０７Ｂ（図７参照）によって該可変入賞装置１０７への入賞が検出される。そして、後述のように、この可変入賞装置１０７の可動部材としての各可動翼片４７Ａ、４７Ａが逆八の字形に開放されている間に入賞した複数個の各入賞球に対して、１個当たり所定個数（例えば、５個〜１５個である。）の賞球が上皿８に払い出されるように構成されている（図９参照）。
一方、ソレノイド１０８の通電をＯＦＦにして上下作動部材１１０が上側方向に移動された場合には、球導板８５が磁石体８６に吸着力に抗して持ち上げられ、該球導体８５の前端部が押し下げられて各可動翼片４７Ａ、４７Ａが起立した状態にセットされ、可変入賞装置４７は、パチンコ球が入賞しにくい状態に再度セットされる。
【００３４】
次に、上記のように構成された実施例２に係るパチンコ機の動作状態を制御する制御回路部１２０の構成について図７に基づき詳細に説明する。
図７に示すように、制御回路部１２０には、制御回路部１２０の全体を制御するＣＰＵ１２１と、入力ポート１２６と、後述する制御プログラムを格納しておくＲＯＭ１２２と各種制御処理データ等を格納しておくＲＡＭ１２３と、出力ポート１２８と、リセット信号を所定時間間隔（実施例２では、約４ｍｓｅｃ毎である。）で出力するリセット回路１２５とが設けられ、これらはバス１２９により相互に接続されている。また、ＣＰＵ１２１には、クロック信号を出力するクロック回路１３０が接続されている。
【００３５】
また、入力ポート１２６には、各入球口５０、５１の内部に設けられてパチンコ球の通過を検出する各入球口スイッチ１０２、１０３が接続されている。また、入力ポート１２６には、排出通路７７の下端部に設けられてパチンコ球の通過を検出する排出スイッチ１０５が接続されている。また、入力ポート１２６には、可変入賞装置１０７への入賞球を検出する入賞口スイッチ１０７Ｂ、各チューリップ式電動役物６４、６５への入賞球を検出する各入賞口スイッチ６４Ａ、６５Ａ、左チューリップ式役物６７への入賞球を検出する入賞口スイッチ６７Ａ、中チューリップ式役物６８への入賞球を検出する入賞口スイッチ６８Ａ、右チューリップ式役物６９への入賞球を検出する入賞口スイッチ６９Ａが接続されている。また、入力ポート１２６には、各ゲート６２、６３のパチンコ球の通過を検出する各ゲートスイッチ６２Ａ、６３Ａが接続されている。
【００３６】
また、出力ポート１２８には、スピーカ７を駆動制御するスピーカ駆動回路１３１、各可動翼片４７Ａ、４７Ａを開閉駆動するソレノイド１０８や各チューリップ式電動役物６４、６５を開閉駆動する各ソレノイド６４Ａ、６５Ａを駆動するソレノイド駆動回路１３２が接続されている。また、出力ポート１２８には、前面カバー部材４の前面部分に配設される各フルカラーダイオード等を駆動制御するＬＥＤ駆動回路１３３、電飾ランプ６や各肩電飾部材５９、６０の電飾ランプ等を駆動制御する装飾ランプ駆動回路１３４、及び賞球払出装置２２が接続されている。
【００３７】
そして、ＣＰＵ１２１は、リセット回路１２５からリセット信号が入力された場合には、ＲＯＭ１２２に予め格納されているパラメータや制御プログラムに従って、入力ポート１２６を介して入力される入力信号等に基づいて、各種制御信号を出力ポート１２８を介してスピーカ駆動回路１３１やソレノイド駆動回路１３２等に出力する。また、入力ポート１２６は、外部から入力されたアナログ信号等をディジタル信号に変換して出力する回路である。出力ポート１２８は、ＣＰＵ１２１を介して演算された各種データをシリアルデータ等に変換して出力する回路である。
【００３８】
次に、このように構成された実施例２に係るパチンコ機の可変入賞装置１０７を開閉駆動する可変入賞装置の駆動制御処理について図８に基づき説明する。ここで、図８の割込プログラムは、電源投入後、一定時間毎（例えば、４ｍｓｅｃ毎）にリセット信号が入力される毎に作動するものである。尚、図８にフローチャートで示される各プログラムはＲＯＭ１２２やＲＡＭ１２３に記憶されており、ＣＰＵ１２１により実行される。
【００３９】
図８に示すように、先ず、ステップ（以下、Ｓという）１１において、ＣＰＵ１２１は、各入球口５０、５１のうちのいずれかにパチンコ球が入ったか否か、即ち、各入球口スイッチ５０Ａ、５１Ａのうちのいずれかからのパチンコ球の検出信号が、入力ポート１２６を介して入力されたか否かを判定する判定処理を実行する。そして、各入球口スイッチ５０Ａ、５１Ａのうちのいずれからもパチンコ球の検出信号が、入力ポート１２６を介して入力されていない場合には（Ｓ１１：ＮＯ）、ＣＰＵ１２１は、Ｓ１３の処理に移行する。
一方、各入球口スイッチ５０Ａ、５１Ａのうちのいずれかからパチンコ球の検出信号が、入力ポート５３を介して入力された場合には（Ｓ１１：ＹＥＳ）、ＣＰＵ１２１は、Ｓ１２の処理に移行する。
【００４０】
Ｓ１２において、ＣＰＵ１２１は、ソレノイド駆動回路１３２を介してソレノイド１０８の通電をＯＮにして駆動する。これにより、可変入賞装置１０７の各可動翼片４７Ａ、４７Ａが逆八の字形に開かれて入賞しやすい状態になる。
続いて、Ｓ１３において、ＣＰＵ１２１は、各入球口５０、５１に入った入球がセンター役物１０１から排出されたか否か、即ち、排出スイッチ１０５からパチンコ球の検出信号が、入力ポート１２６を介して入力されたか否かを判定する判定処理を実行する。そして、排出スイッチ１０５からのパチンコ球の検出信号が、入力ポート１２６を介して入力されていない場合には（Ｓ１３：ＮＯ）、ＣＰＵ１２１は、当該処理を終了する。これにより、放出部７５Ａからステージ７３上に落下したパチンコ球が、ステージ７３上及び凹み部７６上を転動している間は、この可変入賞装置１０７の各可動翼片４７Ａ、４７Ａが開かれた状態に保持される。
一方、排出スイッチ１０５からのパチンコ球の検出信号が、入力ポート１２６を介して入力された場合には（Ｓ１３：ＹＥＳ）、Ｓ１４において、ＣＰＵ１２１は、ソレノイド駆動回路１３２を介してソレノイド１０８の通電をＯＦＦにして停止後、当該処理を終了する。これにより、可変入賞装置１０７の各可動翼片４７Ａ、４７Ａが閉じられて入賞しにくい状態になる。
【００４１】
次に、このように構成された実施例２に係るパチンコ機の賞球払出処理について図９に基づき説明する。ここで、図９の割込プログラムは、電源投入後、一定時間毎（例えば、４ｍｓｅｃ毎）にリセット信号が入力される毎に作動するものである。尚、図９にフローチャートで示される各プログラムはＲＯＭ１２２やＲＡＭ１２３に記憶されており、ＣＰＵ１２１により実行される。
図９に示すように、Ｓ２１において、ＣＰＵ１２１は、各入賞口スイッチ１０７Ｂ、６４Ａ、６５Ａ、６７Ａ、６８Ａ、６９Ａのうちのいずれかからのパチンコ球の検出信号が、入力ポート１２６を介して入力されたか否かを判定する判定処理を実行する。そして、各入賞口スイッチ１０７Ｂ、６４Ａ、６５Ａ、６７Ａ、６８Ａ、６９Ａのうちのいずれからもパチンコ球の検出信号が、入力ポート１２６を介して入力されていない場合には（Ｓ２１：ＮＯ）、ＣＰＵ１２１は、当該処理を終了する。
【００４２】
一方、各入賞口スイッチ１０７Ｂ、６４Ａ、６５Ａ、６７Ａ、６８Ａ、６９Ａのうちのいずれかからパチンコ球の検出信号が、入力ポート１２６を介して入力された場合には（Ｓ２１：ＮＯ）、ＣＰＵ１２１は、この入力された検出信号に対応する個数の賞球を賞球払出装置２２を介して払い出した後、当該処理を終了する。これにより、可変入賞装置１０７の可動部材としての各可動翼片４７Ａ、４７Ａが開放されている間に連続して入賞した複数個の各入賞球に対して、１個当たり所定個数（例えば、５個〜１５個である。）の賞球が上皿８に払い出される。
【００４３】
ここで、各可動翼片４７Ａ、４７Ａは、可動部材を構成する。また、案内通路７５及び放出部７５Ａは、案内部を構成する。また、ステージ７３及び凹み部７６は、遅延部を構成する。また、凹み部７６は、凹み部材として機能する。また、貫通孔７６Ａ及び排出通路７７は、排出部を構成する。また、センター役物１０１は、役物として機能する。また、各入球口スイッチ１０２、１０３、排出スイッチ１０５、ソレノイド駆動回路１３２、ソレノイド１０８、上下作動部材１１０、ＣＰＵ１２１、ＲＯＭ１２２及びＲＡＭ１２３は、可動部材設定手段を構成する。
【００４４】
以上説明したとおり、実施例２に係るパチンコ機によれば、センター役物１０１の各入球口５０、５１にパチンコ球が入ると、ソレノイド１０８が駆動されて可変入賞装置１０７の各可動翼片４７Ａ、４７Ａが、逆八の字形に開いた状態にセットされる。そして、この入球がステージ７３及び凹み部７６上を転動している間は、各可動翼片４７Ａ、４７Ａが逆八の字形に開いた状態で維持され、可変入賞装置１０７に複数個のパチンコ球が連続して入賞する状態が維持される。その後、この入球が貫通孔７６Ａから排出通路７７を通って、排出スイッチ１０５を通過して、遊技盤４１の裏面に排出された場合には、ソレノイド１０８の通電が停止され、各可動翼片４７Ａ、４７Ａが再度、起立位置にセットされる。
【００４５】
これにより、センター役物１０１の各入球口５０、５１に入った入球が、ステージ７３及び凹み部７６によって排出される時間が遅延されて、排出されるまでの間は、可変入賞装置１０７の各可動翼片４７Ａ、４７Ａが逆八の字型に開いて入賞しやすい状態になるため、この間に可変入賞装置１０７に連続して入賞するパチンコ球の個数はランダムに変動し、この各可動翼片４７Ａ、４７Ａが逆八の字型に開いて入賞しやすい状態の間に幾つ入賞するかという楽しみを遊技者に付与することが可能となる。
【００４６】
尚、本発明は、上記実施例１及び実施例２に限定されるものではなく、本発明の要旨を逸脱しない範囲内で種々の改良、変形が可能であることは勿論である。
上記実施例１及び実施例２では、各センター役物４６、１０１内には、ステージ７３及びすり鉢状の凹み部７６が設けられたが、複数のすり鉢状の凹み部材を上下方向に多段に設置し、放出部７５Ａから落下した入球が、複数の凹み部材をランダムに選択して転動落下する構成にしてもよい。
【００４７】
例えば、図９に示すように、センター役物１０１のステージ７３及びすり鉢状の凹み部７６に替えて、下方に向かうにつれて次第に内径が小さくなるすり鉢状の第１凹み部材１４１、第２凹み部材１４２、第３凹み部材１４３を上下方向に配設する。また、放出部７５Ａから入球が落下するように一番上に配設された第１凹み部材１４１の底面部には、２箇所に各貫通孔１４５、１４６が穿設されている。また、一方の貫通孔１４５には、該貫通孔１４５に落下した入球を、第１凹み部材１４１の下側に配設される第２凹み部材１４２に転動落下させる排出通路１４７が接続されている。また、他方の貫通孔１４６には、該貫通孔１４５に落下した入球を、遊技盤４２の裏面に連通する排出通路１４９に案内する排出通路１４８が接続されている。
【００４８】
また、排出通路１４７から入球が落下するように配設された第２凹み部材１４２の底面部には、２箇所に各貫通孔１５１、１５２が穿設されている。また、一方の貫通孔１５１には、該貫通孔１５１に落下した入球を、第２凹み部材１４２の下側に配設される第３凹み部材１４３に転動落下させる排出通路１５４が接続されている。また、他方の貫通孔１５２には、該貫通孔１５２に落下した入球を、遊技盤４２の裏面に連通する排出通路１４９に案内する排出通路１５５が接続されている。
更に、排出通路１５４から入球が落下するように配設された第３凹み部材１４３の底面部には、貫通孔１５７が穿設されている。また、この貫通孔１５７には、該貫通孔１５７に落下した入球を、遊技盤４２の裏面に連通する排出通路１４９に案内する排出通路１５８が接続されている。
また、排出通路１４９の下端部には、パチンコ球の通過を検出する排出スイッチ１０５が設けられている。
【００４９】
これにより、各入球口５０、５１に入った入球は、各入球口スイッチ１０２、１０３を通過後、案内通路７５を転動落下して放出部７５Ａから第１凹み部材１４１に落下する。そして、この第１凹み部材１４１に落下した入球は、入ったときの転動速度に対応して第１凹み部材１４１上を周回後、徐々に速度が遅くなり、貫通孔１４５又は貫通孔１４６に落下する。また、排出通路１４７から第２凹み部材１４２に落下した入球は、入ったときの転動速度に対応して第２凹み部材１４２上を周回後、徐々に速度が遅くなり、貫通孔１５１又は貫通孔１５２に落下する。更に、排出通路１５４から第３凹み部材１４３に落下した入球は、入ったときの転動速度に対応して第３凹み部材１４３上を周回後、徐々に速度が遅くなり、貫通孔１５７に落下する。その後、各排出通路１４８、１５５、１５８のうちのいずれかを転動落下した入球は、排出通路１４９に入って、排出スイッチ１０５を通過後、遊技盤４１の裏面に排出される。
【００５０】
従って、センター役物１０１の各入球口５０、５１に入った入球は、第１凹み部材１４１上を周回後排出される場合と、第１凹み部材１４１上及び第２凹み部材１４２上を周回後排出される場合と、更に、第１凹み部材１４１上、第２凹み部材１４２上及び第３凹み部材１４３上を周回後排出される場合の３種類の排出態様がある。これにより、センター役物１０１の各入球口５０、５１にパチンコ球が入って各入球口スイッチ１０２、１０３を通過後、排出スイッチ１０５を通過して排出されるまでの時間、即ち、可変入賞装置１０７の各可動翼片４７Ａ、４７Ａが逆八の字型に開いて入賞しやすい状態に保持される時間が更に種々変化するため、この間に可変入賞装置１０７に連続して入賞するパチンコ球の個数がよりランダムに変動し、この各可動翼片４７Ａ、４７Ａが逆八の字型に開いて入賞しやすい状態の間に幾つ入賞するかという大きな楽しみを遊技者に確実に付与することが可能となる。また、３種類の排出態様のうちのいずれが選択されるかという楽しみを遊技者に付与することができる。
【００５１】
ここで、各可動翼片４７Ａ、４７Ａは、可動部材を構成する。また、案内通路７５及び放出部７５Ａは、案内部を構成する。また第１凹み部材１４１、第２凹み部材１４２、第３凹み部材１４３は、遅延部を構成する。また、貫通孔１４５と排出通路１４７、貫通孔１５１と排出通路１５４は、誘導部を構成する。また、貫通孔１４６と排出通路１４８、貫通孔１５２と排出通路１５５、貫通孔１５７と排出通路１５８、及び排出通路１４９は、排出部を構成する。また、センター役物１０１は、役物として機能する。また、各入球口スイッチ１０２、１０３、排出スイッチ１０５、ソレノイド駆動回路１３２、ソレノイド１０８、上下作動部材１１０、ＣＰＵ１２１、ＲＯＭ１２２及びＲＡＭ１２３は、可動部材設定手段を構成する。
【図面の簡単な説明】
【００５２】
【図１】実施例１に係るパチンコ機全体を示した正面側斜視図である。
【図２】実施例１に係るパチンコ機の遊技盤を示す正面図である。
【図３】実施例１に係るパチンコ機のセンター役物を示す斜視図である。
【図４】実施例１に係るパチンコ機のセンター役物への入球による可変入賞装置の作動を説明する説明図である。
【図５】実施例２に係るパチンコ機のセンター役物を示す斜視図である。
【図６】実施例２に係るパチンコ機の可変入賞装置の構成及び作動を説明する説明図である。
【図７】実施例２に係るパチンコ機の制御回路部のシステム構成を示すブロック図である。
【図８】実施例２に係るパチンコ機の制御回路部のＣＰＵが実行する可変入賞装置の駆動制御処理を示すフローチャートである。
【図９】実施例２に係るパチンコ機の制御回路部のＣＰＵが実行する賞球払出処理を示すフローチャートである。
【図１０】他の実施例に係るパチンコ機のセンター役物の概略構成を示す模式図である。
【符号の説明】
【００５３】
１                  パチンコ機
２２                賞球払出装置
４１                遊技盤
４２                遊技領域
４６、１０１        センター役物
４７、１０７        可変入賞装置
４７Ａ              可動翼片
５０、５１          入球口
７３                ステージ
７５Ａ              放出部
７６                凹み部
７７                排出通路
１０２、１０３      入球口スイッチ
１０５              排出スイッチ
１０８              ソレノイド
１２１              ＣＰＵ
１２２              ＲＯＭ
１２３              ＲＡＭ
１４１、１４２、１４３      凹み部材
１４７、１４８、１４９、１５４、１５５、１５８    排出通路
【図１】
0004661500.tif 000002
【図２】
0004661500.tif 000003
【図３】
0004661500.tif 000004
【図４】
0004661500.tif 000005
【図５】
0004661500.tif 000006
【図６】
0004661500.tif 000007
【図７】
0004661500.tif 000008
【図８】
0004661500.tif 000009
【図９】
0004661500.tif 000010
【図１０】
0004661500.tif 000011